(57)【要約】【課題】空気浄化装置において、光触媒部材及び光源の組付性及びメンテナンス性の向上を図る。【解決手段】空気浄化装置１０は、ケーシング１２の内部に光触媒部材１６を保持可能なホルダ３８が設けられ、該ホルダ３８は、前記光触媒部材１６の下端部を保持する下端保持部４０と、上端部を保持する上端保持部４２とを有している。この下端保持部４０及び上端保持部４２は、径方向に２分割可能に形成され、第１分割ケース２４側の第１及び第３分割体４８、６４が一組の連結部４４ａ、４４ｂによって接続され、ホルダ３８が径方向に分割された状態で、その内部に光源１４及び光触媒部材１６が挿入されることで組み付けられる。【選択図】図２
2015109909.tif 000002
【特許請求の範囲】
【請求項１】
光触媒を励起させる紫外線を発する光源と、前記光源の外周側に配置され通気性を有した円筒状の光触媒部材と、前記光触媒部材を通過する空気流を生じさせる送風機と、前記光源、前記光触媒部材及び前記送風機を内部に収納するケーシングとを有した空気浄化装置において、
前記ケーシング内に設けられ、前記光触媒部材の軸方向に沿った一端部を保持する第１保持部と、前記光触媒部材の軸方向に沿った他端部を保持する第２保持部とを有し、前記第１及び第２保持部は前記軸方向と略直交する径方向にそれぞれ分割可能に形成されると共に、前記光源が挿通される開口部をそれぞれ有し、前記開口部は、前記第１及び第２保持部を分割した際に径方向に開放されることを特徴とする空気浄化装置。
【請求項２】
請求項１記載の空気浄化装置において、
前記第１保持部の分割された分割体の一方と、前記第２保持部の分割された分割体の一方とが互いに連結部によって連結されることを特徴とする空気浄化装置。
【請求項３】
請求項２記載の空気浄化装置において、
前記連結部は、前記ケーシングの外気導入口に対向する位置に配置され、前記紫外線を透過させない材質によって形成されると共に、前記外気導入口の開口面積より大きく形成されることを特徴とする空気浄化装置。
【請求項４】
請求項１〜３のいずれか１項に記載の空気浄化装置において、
前記ケーシングは、前記第１及び第２保持部と同一となる径方向に分割可能に形成されることを特徴とする空気浄化装置。
【発明の詳細な説明】
【技術分野】
【０００１】
本発明は、室内に設置され、該室内における空気の浄化を行う空気浄化装置に関する。
【背景技術】
【０００２】
従来から、住宅の室内や車両の車室内等に設置して作動させることで、該室内における有機物の除去や脱臭を行うことが可能な空気浄化装置が知られている。このような空気浄化装置では、例えば、特許文献１に開示されるように、円筒状に形成された筐体内の中心に紫外線ランプが設けられ、該紫外線ランプの外周側を取り囲むように円筒状で通気性を有した光触媒部材が設けられると共に、前記紫外線ランプ及び前記光触媒部材の下方に送風機が設けられている。
【０００３】
そして、この空気浄化装置では、紫外線ランプから紫外線を光触媒部材に対して照射することで光触媒を活性化させ、送風機を作動させ筐体内へと取り込んだ空気を光触媒作用によって前記光触媒部材を通過させることで、空気中の臭いや有機物等を除去して浄化された空気を室内へと送出している。
【先行技術文献】
【特許文献】
【０００４】
【特許文献１】特開２０００−１０７２７６号公報
【発明の概要】
【発明が解決しようとする課題】
【０００５】
上述したような空気浄化装置に用いられる紫外線ランプは、一般的に、その長手方向に沿った両端部に端子を有し、前記端子を筐体の上部及び下部に設けられた端子接続部に対して側方から挿入することで接続される構成としている。
【０００６】
しかしながら、特許文献１に開示された空気浄化装置では、紫外線ランプの外周側に円筒状の光触媒部材が設けられるため、前記紫外線ランプを先行して端子接続部へと接続してしまうと、前記光触媒部材を外周側に配置することができない。一方、光触媒部材の内部に予め紫外線ランプを挿通させた状態で一体的に組み付けることが考えられるが、この場合には、前記紫外線ランプを接続した後に、前記光触媒部材を筐体に対して何らかの固定手段で固定する必要が生じる。この特許文献１の空気浄化装置では、固定手段や固定方法について何ら開示されておらず、空気浄化装置の組付性やメンテナンス性の考慮された構成とはなっていない。
【０００７】
本発明は、前記の課題を考慮してなされたものであり、光触媒部材及び光源の組付性及びメンテナンス性の向上を図ることが可能な空気浄化装置を提供することを目的とする。
【課題を解決するための手段】
【０００８】
前記の目的を達成するために、本発明は、光触媒を励起させる紫外線を発する光源と、光源の外周側に配置され通気性を有した円筒状の光触媒部材と、光触媒部材を通過する空気流を生じさせる送風機と、光源、光触媒部材及び送風機を内部に収納するケーシングとを有した空気浄化装置において、
ケーシング内に設けられ、光触媒部材の軸方向に沿った一端部を保持する第１保持部と、光触媒部材の軸方向に沿った他端部を保持する第２保持部とを有し、第１及び第２保持部は軸方向と略直交する径方向にそれぞれ分割可能に形成されると共に、光源が挿通される開口部をそれぞれ有し、開口部は、第１及び第２保持部を分割した際に径方向に開放されることを特徴とする。
【０００９】
本発明によれば、空気浄化装置を構成するケーシングの内部に、光触媒部材を保持可能な第１及び第２保持部を備え、この第１及び第２保持部を軸方向と略直交する径方向に分割可能とし、且つ、光源の挿通される開口部が分割時において径方向に開放される。
【００１０】
従って、ケーシング内に光触媒部材を組み付ける際、径方向に分割された一方の第１及び第２保持部に対して側方（径方向）から光触媒部材と共に光源を組み付けた後、分割された他方の第１及び第２保持部を径方向に光触媒部材へと接近させて組み付けることで、内部に光源が挿通された状態で光触媒部材の一端部及び他端部が第１及び第２保持部によって確実に保持することができる。
【００１１】
その結果、ケーシングに対する光触媒部材及び光源の組付性を向上することができ、しかも、光源や光触媒部材を脱着して交換する場合のメンテナンス性も向上させることが可能となる。
【００１２】
また、第１保持部の分割された分割体の一方と、第２保持部の分割された分割体の一方とを互いに連結部によって連結することにより、光触媒部材の脱着を行う際に、第１保持部と第２保持部とを一体的に装着・取外しできるため、それぞれ別々作業を行う必要がなく、組付性の向上及びメンテナンス性のさらなる向上を図ることができる。
【００１３】
さらに、連結部を、ケーシングの外気導入口に対向する位置に配置し、紫外線を透過させない材質によって形成すると共に、外気導入口の開口面積より大きく形成することにより、光源からの紫外線が外気導入口を通じて外部へと漏れることを連結部によって確実に防止でき、連結部によって外気導入口からケーシングの内部へと取り込まれる空気を周方向に沿って好適に案内できるため、光触媒部材に対して外気導入口近傍に偏って流れることを防止して光触媒部材の周方向に沿って均等に流通させることができる。また、案内手段を別に設ける必要がないため、部品点数の削減及び構成の簡素化を図ることができる。
【００１４】
さらにまた、ケーシングを、第１及び第２保持部と同一となる径方向に分割可能に形成することで、光触媒部材を組み付ける際、第１及び第２保持部と共にケーシングを径方向へと分割しておくことで、組付性及びメンテナンス性をより一層向上させることが可能となる。
【発明の効果】
【００１５】
本発明によれば、以下の効果が得られる。
【００１６】
すなわち、空気浄化装置を構成するケーシングの内部に、光触媒部材を保持可能な第１及び第２保持部を備え、この第１及び第２保持部を径方向に分割可能とし、且つ、光源の挿通される開口部を分割時において径方向に開放することで、ケーシング内に光触媒部材を組み付ける際、径方向に分割された一方の第１及び第２保持部に対して側方（径方向）から光触媒部材と共に光源を組み付けた後、分割された他方の第１及び第２保持部を径方向に光触媒部材へと接近させて組み付けることで、内部に光源が挿通された状態で光触媒部材の一端部及び他端部が第１及び第２保持部によって確実に保持することができる。そのため、ケーシングに対する光触媒部材及び光源の組付性を向上することができると共に、光源や光触媒部材を脱着して交換する場合のメンテナンス性も向上させることが可能となる。
【図面の簡単な説明】
【００１７】
【図１】本発明の実施の形態に係る空気浄化装置の全体断面図である。
【図２】図１の空気浄化装置におけるケーシングの第１分割ケースを取り外した状態を示す斜視図である。
【図３】図２の空気浄化装置の分解斜視図である。
【図４】図１のＩＶ−ＩＶ線に沿った断面図である。
【発明を実施するための形態】
【００１８】
本発明に係る空気浄化装置について好適な実施の形態を挙げ、添付の図面を参照しながら以下詳細に説明する。図１において、参照符号１０は、本発明の実施の形態に係る空気浄化装置を示す。
【００１９】
この空気浄化装置１０は、図１に示されるように、円筒状のケーシング１２と、前記ケーシング１２の内部に収納される光源１４と、該光源１４の外周側に配置される光触媒部材１６と、前記ケーシング１２の内部へ空気を取り込んで外部へと送出する送風機１８とを含む。
【００２０】
ケーシング１２は、例えば、樹脂製材料から形成され、一端部側（矢印Ａ方向）に形成される有底筒状の本体部２０と、他端部側（矢印Ｂ方向）に形成され前記本体部２０に対して拡径した拡径部２２とを有する。なお、ここでは、本体部２０を下方、拡径部２２を上方として用いる場合について説明する。
【００２１】
本体部２０は、略一定直径で軸方向（矢印Ａ、Ｂ方向）に沿って所定高さで形成され、周方向に略等分となるように２分割可能に形成された第１及び第２分割ケース２４、２６（図４参照）からなり、その第１分割ケース２４には、その外周面に一組の外気導入口２８ａ、２８ｂが開口している。この外気導入口２８ａ、２８ｂは、図４に示されるように、例えば、略長方形状に形成され、第１分割ケース２４の周方向に沿って所定間隔離間して設けられ、ケーシング１２の内部に収納された光触媒部材１６に臨むように配置されると共に、前記外気導入口２８ａ、２８ｂを通じて、前記ケーシング１２の外部と内部とを連通している。
【００２２】
一方、本体部２０の内部には、第１分割ケース２４と第２分割ケース２６とに跨るように、底部近傍に第１仕切壁３０が設けられ、前記底部と前記第１仕切壁３０によって仕切られた第１収納室３２が形成される。この第１仕切壁３０には、その一端面側（矢印Ｂ方向）に光源１４の一端部を保持する第１接続部３４が形成される。第１収納室３２には、光源１４を駆動制御するインバータ回路を有した第１制御基板３６が収納され、第１接続部３４に対して電気的に接続されると共に、図示しない電源からの電流が供給される。
【００２３】
また、本体部２０の内部には、光触媒部材１６を保持可能なホルダ３８が設けられ、前記ホルダ３８は、前記光触媒部材１６の下端部を保持可能な下端保持部（第１保持部）４０と、上端部を保持する上端保持部（第２保持部）４２と、前記下端保持部４０と前記上端保持部４２とを接続する連結部４４ａ、４４ｂとを有している。
【００２４】
この下端保持部４０は、中心に第１孔部４６を有した薄板からリング状に形成され、ケーシング１２の第１分割ケース２４側に設けられる第１分割体４８と、第２分割ケース２６側に設けられる第２分割体５０とに分割可能に形成される。そして、第１及び第２分割体４８、５０は、本体部２０の内部において第１及び第２分割ケース２４、２６の内周面に形成された溝部（図示せず）にそれぞれ係合されることで、第１仕切壁３０に対して所定間隔離間して上方に略平行となるように固定される。そして、下端保持部４０は、その第１孔部４６が第１接続部３４に臨むように配置される。
【００２５】
また、図３に示されるように、第１分割体４８の周方向に沿った両端部には、ボルト５２の挿通される貫通孔５４を有したフランジ５６がそれぞれ設けられ、第２分割体５０の両端部には、前記フランジ５６に挿通されたボルト５２の螺合されるねじ孔５８を有したボス６０が形成される。
【００２６】
上端保持部４２は、中心に第２孔部６２を有した薄板からリング状に形成され、ケーシング１２の第１分割ケース２４側に設けられる第３分割体６４と、第２分割ケース２６側に設けられる第４分割体６６とに分割可能に形成される。また、第１分割体４８と第３分割体６４とは、その両端部がそれぞれ一組の連結部４４ａ、４４ｂによって接続されることで、互いに所定間隔離間して平行に保持されたフレーム体６８となる。そして、上端保持部４２は、その第２孔部６２が後述する第２接続部７６に臨むように配置される。
【００２７】
連結部４４ａ、４４ｂは、ホルダ３８の周方向に沿って所定幅を有した板状に形成され、第３及び第４分割体６４、６６は、本体部２０の内部において第１及び第２分割ケース２４、２６の内周面に形成された溝部（図示せず）に係合されることで、下端保持部４０に対して所定間隔離間して上方に略平行となるように固定される。
【００２８】
この際、一組の連結部４４ａ、４４ｂが、図４に示されるように、それぞれケーシング１２の外気導入口２８ａ、２８ｂに臨み、該外気導入口２８ａ、２８ｂに対して半径内方向に所定間隔離間して配置されると共に、前記外気導入口２８ａ、２８ｂの開口面積より大きな面積で形成されている。
【００２９】
また、連結部４４ａ、４４ｂは、例えば、紫外線が透過しない材質、例えば、金属製材料や樹脂製材料から本体部２０の内周面に対応した所定半径で形成されている。
【００３０】
また、第３分割体６４の周方向に沿った両端部には、ボルト５２の挿通される貫通孔５４を有したフランジ５６がそれぞれ設けられ、第４分割体６６の両端部には、前記フランジ５６に挿通されたボルト５２の螺合されるねじ孔５８を有したボス６０が形成される。
【００３１】
そして、図３に示されるように、第２分割ケース２６に第２及び第４分割体５０、６６が装着された状態で、内部に光源１４の挿通された光触媒部材１６を側方（図３中、矢印Ｃ方向）から挿入し、その下端部を第２分割体５０によって保持し、上端部を第４分割体６６によって保持した状態で、第１及び第３分割体４８、６４が一体となったフレーム体６８を、第２及び第４分割体５０、６６へと当接させ、複数のボルト５２によって連結することで、前記光触媒部材１６の両端部が、第１及び第２分割体４８、５０からなる下端保持部４０と、第３及び第４分割体６４、６６からなる上端保持部４２とによって保持される。
【００３２】
すなわち、ホルダ３８は、ケーシング１２と同様に、軸線上となる中心を境として径方向に２分割可能に形成されている。
【００３３】
拡径部２２は、図１に示されるように、例えば、本体部２０に対して半径外方向に拡径した略一定径の周壁７０と、該周壁７０の上部を覆う天井部７２と、前記本体部２０との間に設けられた第２仕切壁７４とからなり、前記周壁７０の下端部が前記本体部２０に対して徐々に縮径するように形成されている。この周壁７０の下端部には、拡径部２２の中心に向かって延在する第２接続部７６が形成され、光源１４の他端部が接続され保持される。
【００３４】
第２仕切壁７４は、第１仕切壁３０、下端保持部４０、上端保持部４２と略平行に形成され、且つ、前記上端保持部４２に対して所定間隔離間して上方（矢印Ｂ方向）に設けられる。
【００３５】
この天井部７２には、周壁７０近傍となる位置に略半円状となる吹出口７８が形成され、該吹出口７８には複数の格子８０が設けられている。すなわち、吹出口７８は複数の格子８０によって所定幅で開口したスリット状に形成される。なお、天井部７２の上面には、図示しない電源スイッチや作動状態を表示するための表示灯が設けられている。
【００３６】
一方、天井部７２の内側には、第２仕切壁７４との間に送風機１８の収納される第２収納室８２と、該第２収納室８２に対して分離された導出室８４とがそれぞれ形成される。そして、第２収納室８２には、例えば、電源スイッチや表示灯の駆動制御を行うための第２制御基板８６が収納され、該第２制御基板８６が天井部７２に対して固定されている。
【００３７】
導出室８４は、吹出口７８に臨んで周壁７０に沿うように断面略半円状に形成され、ケーシング１２の軸線と略平行に形成された隔壁８８によって第２収納室８２と分離されると共に、吹出口７８と連通している。
【００３８】
この隔壁８８には、送風機１８の送風口９８が前記隔壁８８を貫通するように接続され、前記送風機１８が第２収納室８２内で吸い込んだ空気が送風口９８を通じて導出室８４へと導出されることとなる。
【００３９】
光源１４は、例えば、ガラス管９０内にガスの封入された冷陰極蛍光ランプが用いられ、ケーシング１２の本体部２０に軸方向（矢印Ａ、Ｂ方向）に沿って、且つ、軸線上に配置される。そして、光源１４の一端部が、第１接続部３４に接続され保持されると共に、他端部が第２接続部７６に対して接続され保持される。
【００４０】
そして、この光源１４は、ガラス管９０の内部に設けられた電極（図示せず）に通電することで、その内部で電子同士が衝突して紫外線を発する。なお、電極は、ガラス管９０の両端部が接続された第１及び第２接続部３４、７６を通じて通電される。
【００４１】
また、この光源１４としては、冷陰極蛍光ランプに限定されるものではなく、例えば、紫外線ＬＥＤ等の紫外線を発光可能なものであればよい。
【００４２】
光触媒部材１６は、例えば、光源１４の外周側を取り囲むように設けられ、複数の孔を有した多孔質体からなり、その外周側と内周側との間で空気が通過可能に形成される。この光触媒部材１６は、その一端部及び他端部の中心が開口した円筒状に形成され、一端部がホルダ３８の下端保持部４０にスペーサ９２を介して保持され、他端部がホルダ３８の上端保持部４２にスペーサ９２を介して保持されることで、ケーシング１２の内部に収納保持される。また、光触媒部材１６は、その中心が本体部２０の軸線上となるように配置され、光源１４と同軸上に配置される。
【００４３】
そして、光源１４から照射された紫外線が光触媒部材１６へと当たることで、光触媒が活性化して付近の空気中に含まれる有機物や臭いが分解される。
【００４４】
送風機１８は、図１に示されるように、例えば、シロッコファン等の遠心送風機からなり、ケーシング１２に固定されるハウジング９４と、該ハウジング９４の内部に回転自在に設けられ複数の羽根を有したファン９６と、前記ファン９６を回転駆動させる駆動源（図示せず）とを含み、前記ハウジング９４がケーシング１２の第２収納室８２に収納された状態で第２仕切壁７４に対して固定されることで、前記ケーシング１２における空気の流れ方向において、光触媒部材１６の下流側に配置される。
【００４５】
このハウジング９４は、例えば、駆動源及びファン９６を囲繞するように円筒状に形成され、その内部に形成された流路の断面積が中心から外周端に向かって徐々に大きくなるように形成される。そして、ケーシング１２の本体部２０側（矢印Ａ方向）となる下面及び天井部７２側となる上面には、空気を内部へと吸入するための吸入口（図示せず）が形成され、一方、外周端には略長方形状に開口した送風口９８が形成される。
【００４６】
一方、送風口９８は隔壁８８を貫通するように接続され、ファン９６の駆動作用下に送風機１８が吸入口を通じて吸い込んだ第２収納室８２内の空気が送風口９８を通じて導出室８４へと導出される。
【００４７】
本発明の実施の形態に係る空気浄化装置１０は、基本的には以上のように構成されるものであり、次にケーシング１２に対して光源１４及び光触媒部材１６を組み付ける場合について説明する。
【００４８】
先ず、図３に示されるように、ケーシング１２を構成する第１及び第２分割ケース２４、２６が径方向に分割され、且つ、前記第２分割ケース２６に対してホルダ３８の第２及び第４分割体５０、６６がそれぞれ装着された状態とする。
【００４９】
次に、光触媒部材１６の中央に光源１４を挿通させ、その両端部をそれぞれ前記光触媒部材１６の両端部から突出させ、且つ、前記光源１４及び前記光触媒部材１６の軸線を鉛直方向（矢印Ａ、Ｂ方向）とした状態で、ケーシング１２の開口した側方から第２分割ケース２６側（矢印Ｃ方向）へと接近させ、前記光触媒部材１６を第２分割体５０と第４分割体６６との間に挿入すると共に、前記光源１４の下端部を第１接続部３４へと接続し、上端部を第２接続部７６へと接続する。この際、光源１４の両端部は、第１及び第２接続部３４、７６に臨むように開口した第１及び第２孔部４６、６２を通じて接続される。
【００５０】
これにより、光源１４が、第１及び第２接続部３４、７６に対して電気的に接続された状態となり、下端保持部４０を構成する第２分割体５０と上端保持部４２を構成する第４分割体６６とによって光触媒部材１６の一部が保持される。
【００５１】
次に、第１及び第３分割体４８、６４、連結部４４ａ、４４ｂからなるフレーム体６８を、光触媒部材１６側へと接近させ、その第１分割体４８の両端部を第２分割体５０の両端部へ当接させ、第３分割体６４の両端部を第４分割体６６の両端部へと当接させることで、一組の連結部４４ａ、４４ｂが光触媒部材１６の外周面に臨んだ位置となる。そして、複数のボルト５２をフレーム体６８の貫通孔５４へとそれぞれ挿通させた後、第２及び第４分割体５０、６６のねじ孔５８へとそれぞれ螺合させることで、下端保持部４０及び上端保持部４２がリング状に形成された状態で一体的に連結されたホルダ３８となり、光触媒部材１６の上端部及び下端部が前記ホルダ３８の上端保持部４２及び下端保持部４０によって保持される。
【００５２】
最後に、ケーシング１２を構成する第１分割ケース２４を第２分割ケース２６の開口部を閉塞するように装着し、その内周面に形成された溝部（図示せず）にホルダ３８の第２及び第４分割体５０、６６を係合させることで、前記ホルダ３８が前記第１分割ケース２４に対しても保持される。これにより、第１分割ケース２４の外気導入口２８ａ、２８ｂと連結部４４ａ、４４ｂとが互いに対向した位置となる。
【００５３】
そして、図示しない締結ボルトによって第１分割ケース２４と第２分割ケース２６とを締結し、本体部２０の上部に拡径部２２を装着することで、空気浄化装置１０の組み付け作業が完了する。
【００５４】
次に、このように光源１４及び光触媒部材１６の組み付けられた空気浄化装置１０の動作について説明する。なお、ここでは、この空気浄化装置１０が車両の車室内に設置される場合について説明する。
【００５５】
先ず、乗員が空気浄化装置１０の電源スイッチ（図示せず）を操作して電源を入れることで、送風機１８のファン９６が回転し始めると共に、第２制御基板８６から光源１４へ通電されることで紫外線を照射し始める。これにより、送風機１８の駆動作用下に車室内の空気が一組の外気導入口２８ａ、２８ｂを通じて本体部２０の内部へと吸い込まれると共に、光触媒部材１６に対して内周側から紫外線が照射され光触媒が活性化し始める。
【００５６】
この際、一組の外気導入口２８ａ、２８ｂから本体部２０の内部へと吸い込まれた空気は、図４に示されるように、ホルダ３８の連結部４４ａ、４４ｂへ衝突することでそれぞれ周方向へと分流して前記本体部２０の周方向に沿って流れた後、空気が光触媒部材１６の外側から内側へと通過することで、前記光触媒部材１６の周方向において略均等に分散させて内周側へと流通させることが可能となる。すなわち、連結部４４ａ、４４ｂは、外気導入口２８ａ、２８ｂからケーシング１２の内部へと取り込まれた空気を光触媒部材１６の周方向に沿って案内する案内手段としても機能する。
【００５７】
そのため、光触媒部材１６に開口した複数の孔に対して空気を効率的に接触させることができ、それに伴って、前記空気に含まれる臭いや有機物が好適に分解され除去される。
【００５８】
この浄化された空気は、光触媒部材１６の中央を通じて送風機１８側（矢印Ｂ方向）へと吸い上げられ、上端保持部４２の第２孔部６２を通じて第２収納室８２へと流れた後、前記送風機１８の吸入口からハウジング９４の内部へと吸い込まれる。
【００５９】
このハウジング９４内へと吸い込まれた空気は、ファン９６の回転作用下に送風口９８からケーシング１２の導出室８４へと略水平方向に向かって送出されることで、導出室８４の周壁７０へ衝突し、該導出室８４内で分流して拡散することで減速された後に、吹出口７８から車室内へと吹き出される。
【００６０】
以上のように、本実施の形態では、空気浄化装置１０を構成するケーシング１２の内部に、光触媒部材１６を保持可能なホルダ３８を備え、前記ホルダ３８が、前記光触媒部材１６の下端部を保持する下端保持部４０と、上端部を保持する上端保持部４２とからなり、前記下端保持部４０及び上端保持部４２が、それぞれ径方向に２分割可能な構成としている。
【００６１】
そのため、ホルダ３８に対して光触媒部材１６を組み付ける際、光源１４が内部に挿通された状態で前記光触媒部材１６をケーシング１２の側方から径方向に分割されたホルダ３８へと容易且つ確実に組み付けることが可能となる。
【００６２】
従って、円筒状の光触媒部材１６の内部に光源１４が挿通された状態で、ケーシング１２の側方から装着して組み付けることで、その組付性を向上させることが可能となり、さらに、前記光源１４や前記光触媒部材１６を脱着して交換する場合のメンテナンス性も向上させることができる。
【００６３】
また、光触媒部材１６を保持可能なホルダ３８は、第１分割ケース２４側に設けられ下端部を保持する第１分割体４８と、上端部を保持する第３分割体６４とを一組の連結部４４ａ、４４ｂによって連結して単一の部材としているため、前記光触媒部材１６の脱着を行う際に、上端保持部４２と下端保持部４０とをそれぞれ別に装着・取り外し作業を行う必要がなく、メンテナンス性のさらなる向上を図ることができる。
【００６４】
さらに、ホルダ３８を構成する連結部４４ａ、４４ｂを、ケーシング１２の外気導入口２８ａ、２８ｂに臨むように配置することで、光源１４からの紫外線が前記外気導入口２８ａ、２８ｂを通じて外部へと漏れることを前記連結部４４ａ、４４ｂで防止できると共に、前記連結部４４ａ、４４ｂが前記外気導入口２８ａ、２８ｂから内部へと取り込まれる空気の案内手段として機能し、前記外気導入口２８ａ、２８ｂからケーシング１２の内部へと取り込まれた空気を周方向に沿って案内することで、前記空気を周方向へと好適に分流させることが可能となる。そのため、空気が光触媒部材１６に対して外気導入口２８ａ、２８ｂ近傍に偏って流れることが防止され、該光触媒部材１６の周方向に沿って均等に流通させ内部へと通過させ浄化することができる。さらに、連結部４４ａ、４４ｂを案内手段として利用することで、該連結部４４ａ、４４ｂとは別に案内手段を設ける場合と比較し、部品点数を削減することができ、それに伴って、空気浄化装置１０における構成の簡素化を図ることが可能となる。
【００６５】
さらにまた、ケーシング１２を径方向に分割可能な第１及び第２分割ケース２４、２６から構成することで、その内部に光源１４及び光触媒部材１６を組み付け、又は、取り外しを行う際、前記第１及び第２分割ケース２４、２６を分割させ、いずれか一方を取り外しておくことで、組付性及びメンテナンス性のさらなる向上を図ることができる。
【００６６】
またさらに、上述した実施の形態では、ホルダ３８を構成する下端保持部４０及び上端保持部４２がケーシング１２とは別体となるように形成されているが、これに限定されるものではなく、例えば、下端保持部４０における第１及び第２分割体４８、５０のいずれか一方、上端保持部４２における第３及び第４分割体６４、６６のいずれか一方を、前記ケーシング１２と一体的に形成するようにしてもよい。このような構成とすることで、部品点数の削減を図ることができると共に、組み付け工数の削減を図ることが可能となる。
【００６７】
なお、本発明に係る空気浄化装置は、上述の実施の形態に限らず、本発明の要旨を逸脱することなく、種々の構成を採り得ることはもちろんである。
【符号の説明】
【００６８】
１０…空気浄化装置                  １２…ケーシング
１４…光源                          １６…光触媒部材
１８…送風機                        ２０…本体部
２２…拡径部                        ２４…第１分割ケース
２６…第２分割ケース                ２８ａ、２８ｂ…外気導入口
３４…第１接続部                    ３８…ホルダ
４０…下端保持部                    ４２…上端保持部
４４ａ、４４ｂ…連結部              ４８…第１分割体
５０…第２分割体                    ６４…第３分割体
６６…第４分割体                    ６８…フレーム体
７６…第２接続部                    ７８…吹出口
【図１】
2015109909.tif 000003
【図２】
2015109909.tif 000004
【図３】
2015109909.tif 000005
【図４】
2015109909.tif 000006